(57)【特許請求の範囲】
【請求項１】
おむつの幅方向へ互いに並行して延びる前端縁部と後端縁部および前記幅方向に直交し前記おむつの幅を２等分する中心線を挟んで前後方向へ互いに並行して延びる両側縁部とによって外形が画成され、前記前後方向には前胴周り域と後胴周り域とこれら両域間に位置する股下域とが形成され、前記前後胴周り域の側縁部どうしをフック部材とループ部材とからなるメカニカルファスナを介して分離可能に連結して着用する使い捨ての開放型おむつにおいて、
前記ループ部材は、前記前後胴周り域いずれかの外面において、前記中心線の両側それぞれに取り付けられ、ループ周囲の一部が前記外面に固定されてなる固定部と、前記固定部から前記胴周り方向に延び、前記外面に固定されていない自由変形可能な弧状部とから形成された多数のループを有し、前記多数のループのうちの６０％以上のループでは、前記弧状部が前記中心線と並行する前記側縁部に向かって前記外面に対して５〜６０°の角度を成して他のループと重ならないように傾斜しており、
前記フック部材は、それぞれの前記ループ部材と係脱するように、前記ループ部材が配置されていない前記前後胴周り域いずれかの両側縁部外面から前記胴周り方向に延びるテープ部材の内面に配置された少なくとも二つ以上の部材からなり、前記フック部材は、前記内面から立ち上がる軸部と、前記軸部の自由端部先端に形成されて前記ループの弧状部と係脱可能な円形の拡径部とからなる多数のフックを有し、前記拡径部が前記軸部に対して前記傾斜方向とほぼ同じ向きに偏倚していることを特徴とする前記開放型おむつ。
【請求項２】
前記おむつは、前記中心線の両側に取り付けられたループ部材どうしの間に胴周り方向へ伸長された弾性部材を有している請求項１に記載の開放型おむつ。
【請求項３】
前記おむつの両側縁部には前記フック部材が取り付けられ、前記両側縁部のそれぞれが前記フック部材の近傍において胴周り方向への伸縮性を有している請求項１または２に記載の開放型おむつ。
【発明の詳細な説明】
【０００１】
【発明の属する技術分野】
この発明は、使い捨ての開放型おむつに関する。
【０００２】
【従来の技術】
従来、使い捨ての開放型おむつを着用するときに前後胴周り域の側縁部をメカニカルファスナによって分離可能に連結することは、よく知られている。メカニカルファスナは、互いに係脱するフック部材とループ部材とからなり、これら両部材の一方が前後胴周り域の一方に、また両部材のもう一方が前後胴周り域のもう一方に取り付けられる。フック部材とループ部材とは、例えばループ部材のループを形成している繊維がフック部材のフックと絡み合うことによって互いに係合する。
【０００３】
【発明が解決しようとする課題】
前記メカニカルファスナを使用した従来の使い捨ておむつでは、連結した前後胴周り域がおむつ着用中に簡単に外れることがないようにフック部材とループ部材とを強固に係合させようとすると、おむつを脱がせようとするときにそれら両部材を簡単に剥離することが難しくなるという傾向にあった。
【０００４】
この発明は、メカニカルファスナを使用した前記従来の開放型おむつの改良に係り、おむつ着用中には前後胴周り域が簡単に外れてしまうということがないように連結させておくことが可能で、しかもおむつを脱がせるときにはその前後胴周り域の連結を容易に外すことができるようにすることを課題にしている。
【０００５】
【課題を解決するための手段】
前記課題解決のために、この発明が対象とするのは、おむつの幅方向へ互いに並行して延びる前端縁部と後端縁部および前記幅方向に直交し前記おむつの幅を２等分する中心線を挟んで前後方向へ互いに並行して延びる両側縁部とによって外形が画成され、前記前後方向には前胴周り域と後胴周り域とこれら両域間に位置する股下域とが形成され、前記前後胴周り域の側縁部どうしをフック部材とループ部材とからなるメカニカルファスナを介して分離可能に連結して着用する使い捨ての開放型おむつである。
【０００６】
かかる使い捨ての開放型おむつにおいて、この発明が特徴とするところは、次のとおりである。おむつの幅方向へ互いに並行して延びる前端縁部と後端縁部および前記幅方向に直交し前記おむつの幅を２等分する中心線を挟んで前後方向へ互いに並行して延びる両側縁部とによって外形が画成され、前記前後方向には前胴周り域と後胴周り域とこれら両域間に位置する股下域とが形成され、前記前後胴周り域の側縁部どうしをフック部材とループ部材とからなるメカニカルファスナを介して分離可能に連結して着用する使い捨ての開放型おむつにおいて、
前記ループ部材は、前記前後胴周り域いずれかの外面において、前記中心線の両側それぞれに取り付けられ、ループ周囲の一部が前記外面に固定されてなる固定部と、前記固定部から前記胴周り方向に延び、前記外面に固定されていない自由変形可能な弧状部とからなる多数のループを有し、前記多数のループのうちの６０％以上のループでは、前記弧状部が前記中心線と並行する前記側縁部に向かって前記外面に対して５〜６０°の角度を成して他のループと重ならないように傾斜しており、前記フック部材は、それぞれの前記ループ部材と係脱するように、前記ループ部材が配置されていない前記前後胴周り域いずれかの両側縁部外面から前記胴周り方向に延びるテープ部材の内面に配置された少なくとも二つ以上の部材からなり、前記フック部材は、前記内面から立ち上がる軸部と、前記軸部の自由端部先端に形成されて前記ループの弧状部と係脱可能な円形の拡径部とからなる多数のフックを有し、前記拡径部が前記軸部に対して前記傾斜方向とほぼ同じ向きに偏倚している。
【０００７】
【発明の実施の形態】
添付の図面を参照してこの発明に係る使い捨ての開放型おむつの詳細を説明すると、以下のとおりである。
【０００８】
図１に部分破断斜視図で示された使い捨ての開放型おむつ１は、透液性表面シート２と、不透液性裏面シート３と、これら両シート２，３間に介在する吸液性コア４とを有し、両シート２，３は、コア４の周縁から延出して重なり合い、互いに接合している。おむつ１には、その前方におむつ１着用者の腹側を覆う前胴周り域６、その後方に着用者の背側を覆う後胴周り域７、およびこれら両域６，７間に位置する股下域８が形成されている。前胴周り域６には、おむつ１の幅方向である胴周り方向ヘ延びる前端縁部１１が形成され、後胴周り域７には、胴周り方向へ延びる後端縁部１２が形成され、その後端縁部１２では、胴周り方向ヘ延びる少なくとも一条の弾性部材１３が表裏面シート２，３の少なくとも一方の内面に伸長状態で接合されている。おむつ１はまた、前後胴周り域６、７の幅を２等分する中心線Ｃ−Ｃの両側に幅方向と直交する前後方向へ延びた両側縁部１５ａ，１５ｂを有し、両側縁部１５ａ，１５ｂにおける股下域８の部分には湾曲して脚周り方向ヘ延びる複数条の弾性部材１６が表裏面シート２，３の少なくとも一方の内面に伸長状態で接合されている。おむつ１は、このようにその外形が前後端縁部１１，１２と両側縁部１５ａ，１５ｂとによって画成されている。
【０００９】
かかるおむつ１は、後胴周り域７における両側縁部１５ａ，１５ｂから胴周り方向外方へ延出するファスナ用テープ部２１ａ，２１ｂを有し、テープ部２１ａ，２１ｂの内面にはマジックテープ等の商品名で知られるメカニカルファスナのフック部材２２ａ，２２ｂが設けられている。おむつ１はまた、中心線Ｃ−Ｃと一方の側縁部１５ａとの間、および中心線Ｃ−Ｃともう一方の側縁部１５ｂとの間に胴周り方向へ長く、かつ中心線Ｃ−Ｃに関して実質的に対称となるように裏面シート３の外面に取り付けられたランディング用テープ部２３ａ，２３ｂを有し、テープ部２３ａ，２３ｂの外面にはメカニカルファスナのループ部材２４ａ，２４ｂが設けられている。
【００１０】
このおむつ１を着用するときには、フック部材２２ａ，２２ｂのそれぞれとループ部材２４ａ，２４ｂのそれぞれとを係合させて前後胴周り域６，７の側縁部１５ａどうし、１５ｂどうしを胴周り方向において緊張状態で連結させ、これら両胴周り域６，７と股下域８とを身体に密着させる。
【００１１】
図２、３は、おむつ１の前胴周り域６の平面図と同図のＩＩＩ−ＩＩＩ線矢視図である。ただし、図３は斜視図で示されている。図２において中心線Ｃ−Ｃの右と左とに対称に配置された右側ランディング用テープ部２３ａと左側ランディング用テープ部２３ｂとにおけるそれぞれのループ部材２４ａと２４ｂとは、実質的な意味において中心線Ｃ−Ｃに関して対称である。両ランディング用テープ部２３ａ，２３ｂの詳細を左側ランディング用テープ部２３ｂを例にとり図３に基づいて説明すると、以下のとおりである。このテープ部２３ｂは、ループ部材２４ｂと支持テープ３６ｂとを含み、ループ部材２４ｂは、互いに並行して胴周り方向（図２、３の左右方向）ヘ延びる横糸３１ｂと、横糸３１ｂに直交して図２の上下方向ヘ延びるとともにループ３３ｂをも形成している縦糸３２ｂとからなる。このループ部材２４ｂは、層を形成するように平滑に塗布された溶剤型接着剤３４ｂを介して支持テープ３６ｂに接着されている。支持テープ３６ｂは、接着剤や粘着剤等の接合手段３７ｂを介して裏面シート３の外面に取り付けられている。横糸３１ｂと縦糸３２ｂとは、互いの交点で接着、溶着または絡合することによって相互の位置関係が一定に保たれている。ループ３３ｂは、前後胴周り域いずれかの外面に固定された縦糸３２ｂの長さ方向の一部分（固定部）３８ｂとその一部分（固定部）３８ｂの上下両端部から枝分かれして延びて一部分が弧を画いている弧状部分（弧状部）３９ｂとで形成されている。このようなループ３３ｂは、縦糸３２ｂの一部分３８ｂの上下両端部間で支持テープ３６ｂに接着剤３４ｂを介して固定されているが、弧状部分（弧状部）３９ｂはそのようには固定されておらず、変形が自由である。
【００１２】
左側ランディング用テープ部２３ｂは、例えば支持テープ３６ｂとして厚さ５〜５０μｍのＯＰＰフィルムを使用し、ループ部材２４ｂを形成する横糸３１ｂと縦糸３２ｂとのそれぞれには、１０〜６０ｄｔｘのナイロン糸を複数条使用することができる。ループ３３ｂは、横糸３１ｂが延びる方向における長さ２５．４ｍｍ当りについて８〜２０個、縦糸３２ｂが延びる方向における長さ２５．４ｍｍ当りについて１０〜３０個となり、縦糸３２ｂから弧の頂部までの距離Ｌが０．５〜２ｍｍとなるように多数形成され、かつ、その多数のループ３３ｂは縦糸３２ｂからおむつ１の側縁部１５ｂへ向かって傾斜するように、より好ましくは、多数のループ３３ｂのうちの少なくとも６０％のものが、おむつ１の外面を形成する支持テープ３６ｂとの間の傾斜角度Ｍｂが５〜６０°となるように傾斜している。残余のループ３３ｂの傾斜角度には、規制がない。ループ部材２４ｂと支持テープ３６ｂとは溶剤型アクリル系接着剤のように、接着後に表面が乾固して粘着性が残らないものを使用する。支持テープ３６ｂと裏面シート３とは、ホットメルト接着剤等の接着剤の他に、粘着剤を使用することもできる。
【００１３】
右側ランディング用テープ部２３ａの各部を形成しているものは、左側ランディング用テープ部２３ｂの各部参照符号のサフィックスｂをａに代えたものに該当する。ただし、両ループ部材２４ａ，２４ｂは中心線Ｃ−Ｃに関して実質的に対称であるから、左側のループ部材２４ｂで側縁部１５ｂへ向かって傾斜していた少なくとも６０％のループ３３ｂが、右側のループ部材２４ａでは、少なくとも６０％のループ３３ａが縦糸３２ａから、ループ部材２４ａを挟んで中心線Ｃ−Ｃと並行している側縁部１５ａヘ向かって傾斜しているものにとって代わられる。この発明で両ループ部材２４ａ，２４ｂが実質的に対称であるというときには、両ループ部材２４ａ，２４ｂの形状が常に正確な対称性を有している場合に加え、両部材２４ａ，２４ｂが互いに同等の機能を発揮し得る程度の対称性を有しているという場合をも意味している。例えば、互いに向きの異なるループ３３ａ，３３ｂの個数や位置が正確には対称といえなくとも、両部材２４ａ，２４ｂは、フック部材２２ａ，２２ｂとの係脱が同じように速やかであれば対称である。また、ループ３３ａ，３３ｂと支持テープ３６ａ，３６ｂとの間の傾斜角度Ｍａ，Ｍｂについても同様である。
【００１４】
図４は、図１のＩＶ−ＩＶ線切断面を含むファスナ用テープ部２１ｂの斜視図である。ファスナ用テープ部２１ｂ内面には、粘着剤や接着剤、溶着等の接合手段４６ｂによってフック部材２２ｂのうちのベースプレート４７ｂが接合している。平坦なベースプレート４７ｂからは円柱状軸部４８ｂが立ち上がり、軸部４８ｂの自由端部先端には、軸部４８ｂの径方向外方ヘ広がる円盤状の拡径部４９ｂが形成されていて、これら軸部４８ｂと拡径部４９ｂとでフック５１ｂが形成されている。好ましいフック部材２２ｂにおいて、フック５１ｂは２５．４×２５．４ｍｍ２当りについて１００〜３０００本形成され、個々のフック５１ｂは、０．２〜０．８ｍｍの径の拡径部４９ｂと、０．２５〜１．５ｍｍの高さの軸部４８ｂとを有する。図示してはいないが、ファスナ用テープ部２１ａは、テープ部２１ｂと同様にその内面にベースプレートとフックとを有する。
【００１５】
図５は、ファスナ用テープ部２１ｂのフック５１ｂと左側ランディング用テープ部２３ｂとの部分斜視図である。左側ランディング用テープ部２３ｂのループ３３ｂは、支持テープ３６ｂに対して５〜６０°の傾斜角度Ｍｂを有し、おむつ１を着用するときには、矢印５５で示されるように図の上方から下方へ向かってフック５１ｂがそのループ３３ｂへ進入する。ずり下がることがないように着用者の胴部にしっかりと密着させて着用したおむつ１では、前胴周り域６と後胴周り域７とが、それぞれ矢印５６と５７との方向へ動こうとすると（図１を併せて参照）、ループ３３ｂとフック５１ｂとが強固に係合して前後胴周り域６と７とにおける側縁部１５ｂどうしの連結が確実になる。しかし、このおむつ１を脱がせるときには、ファスナ用テープ部２１ｂの先端部分を胴周り外方へ(図の上方へ)引張ることによって上方へ移動させると、傾斜していたループ３３ｂが起立する方向へ動いて、フック５１ｂがループ３３ｂから容易に離脱して、ファスナ用テープ部２１ｂがランディング用テープ部２３ｂから剥離する。図示してはいないが、ファスナ用テープ部２１ａも同様に右側ランディング用テープ部２３ａから剥離する。このようなおむつ１では、メカニカルファスナで胴周りを強く締め付けても、そのことによっておむつ１を脱がせるために格別大きな力が必要になるということがない。
【００１６】
図６は、フック部材２２ａ，２２ｂの一態様をフック部材２２ｂによって例示する図４と同様の図面である。フック部材２２ｂとループ部材２４ｂとが図５のように重なり合って当接した状態では、このフック部材２２ｂにおけるフック５１ｂの軸部４８ｂ先端に形成された拡径部４９ｂが軸部４８ｂに対して図の右方、即ち図１においてファスナ用テープ部２１ｂの先端からおむつ１の側縁部１５ｂへ向かう方向へ偏倚して広がっている。かようなフック５１ｂは、図５のようにそれがループ３３ｂと係合するときに、拡径部４９ｂがループ３３ｂと容易かつ確実に係合する。
【００１７】
図７は、この発明の実施態様の一例を示す図１と同様の図面である。このおむつ１では、前胴周り域６における裏面シート３の内面に胴周り方向ヘ延びる複数条の弾性部材６１が両ランディング用テープ部２３ａ，２３ｂをつなぐように伸長状態で接合している。裏面シート３の外面に接合しているランディング用テープ２３ａ，２３ｂそれぞれは、弾性部材６１の収縮によっておむつ１の幅方向の中心へ向かって動こうとし、この動きがフック部材２２ａ，２２ｂとループ部材２４ａ，２４ｂとを強く係合させることに寄与する。また、このおむつ１では、後胴周り域７の側縁部１５ａ，１５ｂが胴周り方向へ弾性的に伸縮可能なシート材料で形成されている。ファスナ用テープ部２１ａ，２１ｂそれぞれをランディング用テープ部２３ａ，２３ｂそれぞれに向けて引張れば、側縁部１５ａ，１５ｂが弾性的に伸長する。フック部材２２ａ，２２ｂをループ部材２４ａ，２４ｂに係合させた後には、その側縁部１５ａ，１５ｂが弾性的に収縮して、両部材２２ａ，２２ｂ，２４ａ，２４ｂを強く係合させることに寄与する。側縁部１５ａ，１５ｂをこのように伸縮させることに代えて、ファスナ用テープ部２１ａ，２１ｂを伸縮させることも可能ではあるが、そのようなテープ部２１ａ，２１ｂは、ランディング用テープ部２３ａ，２３ｂから剥離し難いということがある。
【００１８】
この発明は、これまでの図示例とは異なり、前胴周り域６の両側縁部１５ａ，１５ｂにファスナ用テープ部２１ａ，２１ｂを設け、後胴周り域７にランディング用テープ部２３ａ，２３ｂを設けて実施することもできる。フック部材２２ａ，２２ｂやループ部材２４ａ，２４ｂには、図示例とは異なる公知ないし周知のものを使用することができる。
【００１９】
【発明の効果】
この発明に係る使い捨ての開放型おむつでは、おむつの側縁部どうしを連結するメカニカルファスナのうちのループ部材が、そのループ部材を挟んでおむつの中心線と並行する側縁部へ向かって、おむつの外面に対して５〜６０°の角度で傾斜する多数のループを有するから、このおむつを着用したときには、このループ部材とメカニカルファスナのフック部材とが確実に係合しておむつの胴周りは緩んだり外れたりすることがない。また、このおむつを脱がせるときには、フック部材をループ部材から剥離させるように引張ると、ループ部材のループが起立してその剥離を容易にする。
【図面の簡単な説明】
【図１】  おむつの部分破断斜視図。
【図２】  おむつの前胴周り域の平面図。
【図３】  ループとフックとの部分斜視図。
【図４】  図１のＩＶ−ＩＶ線切断面を示す図。
【図５】  ループとフックとの係合を示す図３と同様の図面。
【図６】  フック部材の一例を示す図４と同様の図面。
【図７】  実施態様の一例を示す図１と同様の図面。
【符号の説明】
１      開放型おむつ
６      前胴周り域
７      後胴周り域
８      股下域
１１      前端縁部
１２      後端縁部
１５ａ，１５ｂ      側縁部
２２ａ，２２ｂ      フック部材
２４ａ，２４ｂ      ループ部材
３３ａ，３３ｂ      ループ
４８      軸部
４９      拡径部
Ｃ−Ｃ      中心線
【図１】
0003759884.tif 000002
【図２】
0003759884.tif 000003
【図３】
0003759884.tif 000004
【図４】
0003759884.tif 000005
【図５】
0003759884.tif 000006
【図６】
0003759884.tif 000007
【図７】
0003759884.tif 000008